(57)【要約】【課題】操作者は必要とする物品を保持する管理部材をすぐに見つけることができるようになるため物品を取り出す際の利便性を向上させることができる物品管理機および物品管理方法を提供する。【解決手段】物品管理機（例えば、鍵管理機１０）は、操作者の識別情報と、当該操作者にとって抜き取り可能な管理部材（例えば、キーホルダ４０）が収容される収容部（例えば、ホルダ収容部３２）との関係を記憶するとともに、管理部材により保持される物品に関する情報を、当該管理部材が収容される収容部毎に記憶する記憶部５６と、記憶部５６に記憶されている情報に基づいて認証手段（例えば、認証部５４）により認証された操作者の識別情報に対応する収容部に関連する物品に関する情報のリストを出力する制御部５０とを備えている。【選択図】図１
2019027202.tif 000002
【特許請求の範囲】
【請求項１】
物品を保持するための管理部材が収容される複数の収容部と、
操作者の識別情報を認証するための認証手段と、
操作者の識別情報と、当該操作者にとって抜き取り可能な前記管理部材が収容される前記収容部との関係を記憶するとともに、前記管理部材により保持される物品に関する情報を、当該管理部材が収容される前記収容部毎に記憶する記憶部と、
前記記憶部に記憶されている情報に基づいて、前記認証手段により認証された操作者の識別情報に対応する前記収容部に関連する物品に関する情報のリストを出力する制御部と、
を備えた、物品管理機。
【請求項２】
前記制御部により出力された、前記認証手段により認証された操作者の識別情報に対応する前記収容部に関連する物品に関する情報のリストを表示する表示部を更に備えた、請求項１記載の物品管理機。
【請求項３】
操作者が操作を行うための操作部と、
前記表示部に表示されるリストの中から特定の前記収容部が前記操作部により選択されると、この収容部または当該収容部に収容される前記管理部材の位置を操作者に報知する報知手段と、
を更に備えた、請求項２記載の物品管理機。
【請求項４】
前記報知手段は、前記表示部に表示される複数の前記収容部のうち前記操作部により選択された特定の前記収容部の位置を特定するようになっている、請求項３記載の物品管理機。
【請求項５】
各前記収容部に対応して表示部材が設けられており、
前記報知手段は、前記操作部により選択された特定の前記収容部に対応する前記表示部材の表示態様を他の前記表示部材の表示態様から変えるようになっている、請求項３記載の物品管理機。
【請求項６】
前記表示部には、前記制御部により出力された情報のリストが、少なくとも、前記管理部材の使用頻度、操作者毎の前記管理部材の使用頻度、時間帯毎の前記管理部材の使用頻度、前記管理部材の直近の使用のタイミングのうちいずれかに基づいて順番に並べられた状態で表示されるようになっている、請求項２乃至５のいずれか一項に記載の物品管理機。
【請求項７】
各前記収容部には、当該収容部に収容されている前記管理部材を当該収容部から抜き取り不可となるようロックするロック機構が設けられており、
前記制御部は、前記認証手段により認証された操作者の識別情報に対応する前記収容部に関連する物品に関する情報のリストを出力すると、前記認証手段により認証された操作者の識別情報に対応する前記収容部に設けられた前記ロック機構による前記管理部材のロックを解除する、請求項１記載の物品管理機。
【請求項８】
前記制御部により出力された、前記認証手段により認証された操作者の識別情報に対応する前記収容部に関連する物品に関する情報のリストを表示する表示部と、
操作者が操作を行うための操作部と、
を更に備え、
前記制御部は、前記表示部に表示されるリストの中から特定の前記収容部が前記操作部により選択されると、前記表示部に表示されるリストに係る前記収容部のうち選択された前記収容部以外の前記収容部に設けられた前記ロック機構により前記管理部材を再びロックさせる、請求項７記載の物品管理機。
【請求項９】
各前記収容部には、当該収容部に収容されている前記管理部材を当該収容部から抜き取り不可となるようロックするロック機構が設けられており、
前記制御部により出力された、前記認証手段により認証された操作者の識別情報に対応する前記収容部に関連する物品に関する情報のリストを表示する表示部と、
操作者が操作を行うための操作部と、
を更に備え、
前記制御部は、前記認証手段により認証された操作者の識別情報に対応する前記収容部に関連する物品に関する情報のリストを出力し、このリストを前記表示部に表示させた後、前記表示部に表示されるリストの中から特定の前記収容部が前記操作部により選択されると、前記表示部に表示されるリストに係る前記収容部のうち前記操作部により選択された前記収容部に設けられた前記ロック機構による前記管理部材のロックを解除する、請求項１記載の物品管理機。
【請求項１０】
物品を保持するための管理部材が収容される複数の収容部を備えた物品管理機による物品管理方法であって、
操作者の識別情報と、当該操作者にとって抜き取り可能な前記管理部材が収容される前記収容部との関係を記憶部に予め記憶させておくとともに、前記管理部材により保持される物品に関する情報を、当該管理部材が収容される前記収容部毎に前記記憶部に予め記憶させておく工程と、
操作者の識別情報を認証する工程と、
前記記憶部に記憶されている情報に基づいて、認証された操作者の識別情報に対応する前記収容部に関連する物品に関する情報のリストを出力する工程と、
を備えた、物品管理方法。
【請求項１１】
出力された、認証された操作者の識別情報に対応する前記収容部に関連する物品に関する情報のリストを表示部に表示する工程を更に備えた、請求項１０記載の物品管理方法。
【請求項１２】
前記表示部に表示されるリストの中から特定の前記収容部が選択されると、この収容部または当該収容部に収容される前記管理部材の位置を操作者に報知する工程を更に備えた、請求項１１記載の物品管理方法。
【発明の詳細な説明】
【技術分野】
【０００１】
本発明は、鍵等の物品を保持するための管理部材が収容される物品管理機およびこのような物品管理機による物品管理方法に関する。
【背景技術】
【０００２】
従来から、金融機関やスーパーマーケット等の流通店舗等において、処理機器の作業用の鍵や管理場所を開閉するための鍵等、複数の重要な鍵が使用されており、これらの鍵を使用可能な者を制限したり、鍵の使用履歴を残したりするために、鍵管理装置を用いて電子制御により鍵の管理を行うようになっている。このような鍵管理装置としては、例えば特許文献１等に開示されるものが知られている。特許文献１等に開示される鍵管理装置では、鍵を連結したキーホルダを着脱可能とする錠機構が設けられている。そして、このような鍵管理装置から鍵を取り出して使用しようとする者は、所持するＩＣカードをカードリーダによって読み取らせること等により承認操作を行った後、鍵管理装置の本体の前面に設けられた扉を開き、錠機構からキーホルダを取り外すことにより、鍵を使用することができるようになっている。
【先行技術文献】
【特許文献】
【０００３】
【特許文献１】特開２０１６−０１１５８３号公報
【発明の概要】
【発明が解決しようとする課題】
【０００４】
従来の鍵管理装置では、所持するＩＣカードをカードリーダによって読み取らせること等により承認操作を行った後、所定の時間（例えば、１０秒）の間に錠機構からキーホルダを取り外さなければ、錠機構によりキーホルダが再びロックされてしまい、錠機構からキーホルダを取り外すことができなくなるような運用が行われている。このような運用を行うことにより、承認操作が行われた後に第三者によって錠機構からキーホルダが取り外されてしまい鍵が不正に使用されてしまうことを抑制することができるようになる。しかしながら、操作者が鍵管理装置に不慣れであり、鍵管理装置に保管されている全ての鍵のうち操作者にとって必要な鍵をすぐに見つけることができない場合には、承認操作を行っても錠機構によりキーホルダが再びロックされてしまい、鍵管理装置に不慣れな操作者は何度も承認操作を行う必要があるため鍵の持ち出しに時間がかかってしまうという問題があった。
【０００５】
本発明は、このような点を考慮してなされたものであり、操作者は必要とする物品を保持する管理部材をすぐに見つけることができるようになるため物品を取り出す際の利便性を向上させることができる物品管理機および物品管理方法を提供することを目的とする。
【課題を解決するための手段】
【０００６】
本発明の物品管理機は、物品を保持するための管理部材が収容される複数の収容部と、操作者の識別情報を認証するための認証手段と、操作者の識別情報と、当該操作者にとって抜き取り可能な前記管理部材が収容される前記収容部との関係を記憶するとともに、前記管理部材により保持される物品に関する情報を、当該管理部材が収容される前記収容部毎に記憶する記憶部と、前記記憶部に記憶されている情報に基づいて、前記認証手段により認証された操作者の識別情報に対応する前記収容部に関連する物品に関する情報のリストを出力する制御部と、を備えたことを特徴とする。
【０００７】
このような物品管理機によれば、認証手段により認証された操作者の識別情報に対応する収容部に関連する物品に関する情報のリストを出力することにより、出力されたリストを参照することにより操作者は必要とする物品を保持する管理部材をすぐに見つけることができるようになるため物品を取り出す際の利便性を向上させることができる。
【０００８】
本発明の物品管理機は、前記制御部により出力された、前記認証手段により認証された操作者の識別情報に対応する前記収容部に関連する物品に関する情報のリストを表示する表示部を更に備えていてもよい。
【０００９】
この場合、本発明の物品管理機は、操作者が操作を行うための操作部と、前記表示部に表示されるリストの中から特定の前記収容部が前記操作部により選択されると、この収容部または当該収容部に収容される前記管理部材の位置を操作者に報知する報知手段と、を更に備えていてもよい。
【００１０】
また、前記報知手段は、前記表示部に表示される複数の前記収容部のうち前記操作部により選択された特定の前記収容部の位置を特定するようになっていてもよい。
【００１１】
あるいは、各前記収容部に対応して表示部材が設けられており、前記報知手段は、前記操作部により選択された特定の前記収容部に対応する前記表示部材の表示態様を他の前記表示部材の表示態様から変えるようになっていてもよい。
【００１２】
また、前記表示部には、前記制御部により出力された情報のリストが、少なくとも、前記管理部材の使用頻度、操作者毎の前記管理部材の使用頻度、時間帯毎の前記管理部材の使用頻度、前記管理部材の直近の使用のタイミングのうちいずれかに基づいて順番に並べられた状態で表示されるようになっていてもよい。
【００１３】
また、各前記収容部には、当該収容部に収容されている前記管理部材を当該収容部から抜き取り不可となるようロックするロック機構が設けられており、前記制御部は、前記認証手段により認証された操作者の識別情報に対応する前記収容部に関連する物品に関する情報のリストを出力すると、前記認証手段により認証された操作者の識別情報に対応する前記収容部に設けられた前記ロック機構による前記管理部材のロックを解除するようになっていてもよい。
【００１４】
この場合、本発明の物品管理機は、前記制御部により出力された、前記認証手段により認証された操作者の識別情報に対応する前記収容部に関連する物品に関する情報のリストを表示する表示部と、操作者が操作を行うための操作部と、を更に備え、前記制御部は、前記表示部に表示されるリストの中から特定の前記収容部が前記操作部により選択されると、前記表示部に表示されるリストに係る前記収容部のうち選択された前記収容部以外の前記収容部に設けられた前記ロック機構により前記管理部材を再びロックさせるようになっていてもよい。
【００１５】
あるいは、本発明の物品管理機において、各前記収容部には、当該収容部に収容されている前記管理部材を当該収容部から抜き取り不可となるようロックするロック機構が設けられており、前記制御部により出力された、前記認証手段により認証された操作者の識別情報に対応する前記収容部に関連する物品に関する情報のリストを表示する表示部と、操作者が操作を行うための操作部と、を更に備え、前記制御部は、前記認証手段により認証された操作者の識別情報に対応する前記収容部に関連する物品に関する情報のリストを出力し、このリストを前記表示部に表示させた後、前記表示部に表示されるリストの中から特定の前記収容部が前記操作部により選択されると、前記表示部に表示されるリストに係る前記収容部のうち前記操作部により選択された前記収容部に設けられた前記ロック機構による前記管理部材のロックを解除するようになっていてもよい。
【００１６】
本発明の物品管理方法は、物品を保持するための管理部材が収容される複数の収容部を備えた物品管理機による物品管理方法であって、操作者の識別情報と、当該操作者にとって抜き取り可能な前記管理部材が収容される前記収容部との関係を記憶部に予め記憶させておくとともに、前記管理部材により保持される物品に関する情報を、当該管理部材が収容される前記収容部毎に前記記憶部に予め記憶させておく工程と、操作者の識別情報を認証する工程と、前記記憶部に記憶されている情報に基づいて、認証された操作者の識別情報に対応する前記収容部に関連する物品に関する情報のリストを出力する工程と、を備えたことを特徴とする。
【００１７】
このような物品管理方法によれば、認証された操作者の識別情報に対応する収容部に関連する物品に関する情報のリストを出力することにより、出力されたリストを参照することにより操作者は必要とする物品を保持する管理部材をすぐに見つけることができるようになるため物品を取り出す際の利便性を向上させることができる。
【００１８】
本発明の物品管理方法は、出力された、認証された操作者の識別情報に対応する前記収容部に関連する物品に関する情報のリストを表示部に表示する工程を更に備えていてもよい。
【００１９】
この場合、本発明の物品管理方法は、前記表示部に表示されるリストの中から特定の前記収容部が選択されると、この収容部または当該収容部に収容される前記管理部材の位置を操作者に報知する工程を更に備えていてもよい。
【発明の効果】
【００２０】
本発明の物品管理機および物品管理方法によれば、操作者は必要とする物品を保持する管理部材をすぐに見つけることができるようになるため物品を取り出す際の利便性を向上させることができる。
【図面の簡単な説明】
【００２１】
【図１】本発明の実施の形態による鍵管理機の構成を示す斜視図である。
【図２】図１に示す鍵管理機におけるホルダ収容部およびこのホルダ収容部に収容されるキーホルダの構成を示す分解斜視図である。
【図３】図２に示すホルダ収容部の側面図である。
【図４】図２に示すホルダ収容部に設けられたロック機構におけるソレノイドおよびレバー等の構成を示す構成図である。
【図５】（ａ）は、図２に示すホルダ収容部に収容されたキーホルダがロック機構によりロックされていないときの状態を示す側面図であり、（ｂ）は、図２に示すホルダ収容部に収容されたキーホルダがロック機構によりロックされているときの状態を示す側面図である。
【図６】（ａ）（ｂ）は、それぞれ、図２に示すキーホルダを様々な角度から見たときの斜視図である。
【図７】（ａ）（ｂ）は、それぞれ、図２に示すホルダ収容部にキーホルダが収容されたときの構成を概略的に示す側面図である。
【図８】（ａ）〜（ｄ）は、図２や図６に示すキーホルダのリングに鍵を保持させる動作を順に示す図である。
【図９】（ａ）〜（ｃ）は、それぞれ、図２や図６に示すキーホルダの側面図である。
【図１０】図１に示す鍵管理機におけるロック解除部およびこのロック解除部に収容されるキーホルダの構成を示す分解斜視図である。
【図１１】（ａ）〜（ｆ）は、それぞれ、図１０に示すロック解除部によりキーホルダをロック状態から解除状態にしてリングを取り外す動作を順に示す図である。
【図１２】（ａ）（ｂ）は、それぞれ、図２や図６に示すキーホルダのリングの他の様々な構成を示す図である。
【図１３】図１に示す鍵管理機の制御系の構成を示す機能ブロック図である。
【図１４】（ａ）は、図１に示す鍵管理機の操作表示部の表示画面を示す図であり、（ｂ）は、図１に示す鍵管理機の各キーホルダに対応する各導光体の状態を示す図である。
【図１５】（ａ）は、図１に示す鍵管理機の操作表示部の表示画面を示す図であり、（ｂ）は、図１に示す鍵管理機の各キーホルダに対応する各導光体の状態を示す図である。
【図１６】（ａ）は、図１に示す鍵管理機の操作表示部の表示画面を示す図であり、（ｂ）は、図１に示す鍵管理機の各キーホルダに対応する各導光体の状態を示す図である。
【図１７】（ａ）〜（ｆ）は、それぞれ、図１に示す鍵管理機の操作表示部の様々な表示画面を示す図である。
【図１８】図１に示す鍵管理機の操作表示部の表示画面の他の例を示す図である。
【図１９】図１８に示す操作表示部の表示画面において詳細表示のボタンが押下されたときの操作表示部の表示画面を示す図である。
【図２０】変形例に係る鍵管理機の構成を示す斜視図である。
【図２１】変形例に係るキーホルダの構成を示す図である。
【発明を実施するための形態】
【００２２】
以下、図面を参照して本発明の実施の形態について説明する。図１乃至図１７は、本実施の形態に係る鍵管理機およびこのような鍵管理機による鍵管理方法を示す図である。なお、図７、図８等において、キーホルダにより保持される鍵を参照符合Ｗで示す。
【００２３】
図１に示すように、本実施の形態による鍵管理機１０は略直方体形状の筐体１２を有しており、この筐体１２の前面には開閉可能な前面扉２０が設けられている。なお、図１は、前面扉２０が開いており筐体１２の内部に収容されている各キーホルダ４０（後述）に操作者がアクセス可能な状態が示されている。また、前面扉２０を施錠するための扉施錠部２２（図１３参照）が筐体１２の内部に設けられている。ここで、扉施錠部２２により前面扉２０が施錠されている場合には、操作者は前面扉２０を開くことができないようになる。一方、扉施錠部２２による前面扉２０の施錠が解錠されると、操作者は前面扉２０を開いて筐体１２の内部にアクセスすることができるようになる。また、筐体１２の上面には取っ手１４が設けられており、操作者はこの取っ手１４を掴むことにより鍵管理機１０の持ち運びを行うことができるようになっている。より詳細には、取っ手１４は図１に示すような筐体１２の上面に沿って倒れている状態から手で起こして立位状態（すなわち、筐体１２の高さ方向に沿って延びるような状態）とすることができるようになっており、操作者は鍵管理機１０の持ち運びを行う際に立位状態となった取っ手１４を掴むようになる。
【００２４】
本実施の形態では、鍵管理機１０の筐体１２の内部に、当該鍵管理機１０の各構成部材に電力を供給するための電源（バッテリー）が設けられている。また、筐体１２には図示しない電源スイッチが設けられており、操作者がこの電源スイッチをオンとすることにより鍵管理機１０の各構成部材に電力が供給されるようになっている。このように、本実施の形態による鍵管理機１０は外部から電力の供給を受けることなく単体で使用することができるようになっている。
【００２５】
図１および図２に示すように、筐体１２の内部には、鍵（図１および図２では図示せず）がそれぞれ取り付けられた複数のキーホルダ４０（管理部材）が収容されるホルダ収容領域３０が設けられている。また、このホルダ収容領域３０には、キーホルダ４０が収容されるホルダ収容部３２が複数設けられている。具体的には、図１に示すように、複数のホルダ収容部３２は筐体１２の高さ方向に沿って３列に並ぶよう配置されており、各列には１０個のホルダ収容部３２が筐体１２の幅方向に沿って並ぶよう設けられている。このようにして、ホルダ収容領域３０には合計３０個のホルダ収容部３２が設けられるようになり、各ホルダ収容部３２にそれぞれキーホルダ４０が収容されるようになる。また、３列の各ホルダ収容部３２のうち上段の各ホルダ収容部３２には左から順に１〜１０の識別番号が付されており、中段の各ホルダ収容部３２には左から順に１１〜２０の識別番号が付されており、下段の各ホルダ収容部３２には左から順に２１〜３０の識別番号が付されている。このようなホルダ収容部３２の構成の詳細について図２乃至図５等を用いて以下に説明する。
【００２６】
図２に示すように、ホルダ収容領域３０には筐体１２の高さ方向に沿って延びるホルダ収容プレート３０ａが設けられており、当該ホルダ収容プレート３０ａにはキーホルダ４０が通過する開口３０ｂが各ホルダ収容部３２に対応して設けられている。ここで、ホルダ収容プレート３０ａの表面（おもてめん）における各開口３０ｂの上側には、当該開口３０ｂに対応するホルダ収容部３２の識別番号が記載されるようになっている。また、各ホルダ収容部３２にはそれぞれ導光体３４が取り付けられるようになっており、この導光体３４にはキーホルダ４０が挿入される穴が中央に形成されている。このような導光体３４がホルダ収容部３２に取り付けられたとき、開口３０ｂを介して操作者は筐体１２の前面側から当該導光体３４を見ることができるようになっている。また、導光体３４は後述するＬＥＤ３２ｄから発せられた各色の光を受けることにより各色に光るようになっている。
【００２７】
図２に示すように、各ホルダ収容部３２には、ホルダ収容プレート３０ａの各開口３０ｂを通過したキーホルダ４０が収容される収容穴３２ａが設けられている。具体的には、収容穴３２ａには、ホルダ収容プレート３０ａの各開口３０ｂを通過したキーホルダ４０における奥側の約半分の部分が収容されるようになっている。また、図３乃至図５に示すように、各ホルダ収容部３２には、当該ホルダ収容部３２の収容穴３２ａに収容されたキーホルダ４０をホルダ収容部３２から抜き取り不可となるようロックするロック機構３６が設けられている。ここで、図３乃至図５に示すように、ロック機構３６は、ソレノイド３８と、当該ソレノイド３８により動作されるレバー部材３８ａと、レバー部材３８ａに取り付けられたバネ３９とを有しており、ソレノイド３８によりレバー部材３８ａが図３や図４における上下方向（図３における矢印方向）に動作されることによってロック機構３６によりキーホルダ４０がロックされたり当該ロック機構３６によるキーホルダ４０のロックが解除されたりするようになっている。
【００２８】
より詳細には、図５に示すように、キーホルダ４０の底面には凹部４０ｃが形成されているとともに、レバー部材３８ａの上部にはこの凹部４０ｃに係合可能な係合部分３８ｂが設けられている。ここで、係合部分３８ｂには傾斜面が形成されているとともに、凹部４０ｃにも係合部分３８ｂの傾斜面に対応して傾斜面が形成されている。そして、ソレノイド３８が駆動されていない状態では、レバー部材３８ａは図５（ｂ）に示す箇所に位置するようになる。このときに、ホルダ収容部３２の収容穴３２ａにキーホルダ４０が既に収容されている場合には当該キーホルダ４０の凹部４０ｃにレバー部材３８ａの係合部分３８ｂが挿入されることによってこのキーホルダ４０はホルダ収容部３２の収容穴３２ａから抜けなくなる。また、ソレノイド３８が駆動されておらず、レバー部材３８ａが図５（ｂ）に示す箇所に位置しているときに、操作者がホルダ収容部３２の収容穴３２ａにキーホルダ４０を収容しようとすると、このキーホルダ４０の奥側（すなわち、図５における右側）の下端縁が係合部分３８ｂの傾斜面に当たることによりレバー部材３８ａはバネ３９による力に抗して図５（ｂ）における下方に移動する。その後、ホルダ収容部３２の収容穴３２ａにキーホルダ４０が完全に収容されると、バネ３９によってレバー部材３８ａが図５（ｂ）における上方向に押されることによりキーホルダ４０の凹部４０ｃにレバー部材３８ａの係合部分３８ｂが挿入されるようになる。一方、図５（ｂ）に示すようにホルダ収容部３２の収容穴３２ａにキーホルダ４０が収容されている状態でソレノイド３８が駆動されると、このソレノイド３８はレバー部材３８ａを図５（ｂ）における下方に引っ張ることにより当該レバー部材３８ａはバネ３９による力に抗して図５（ｂ）における下方に移動する。このことにより、図５（ａ）に示すようにレバー部材３８ａに設けられた係合部分３８ｂもキーホルダ４０の凹部４０ｃから下方に退避するため、操作者はキーホルダ４０をホルダ収容部３２の収容穴３２ａから取り出すことができるようになる。
【００２９】
また、図３や図６等に示すように、キーホルダ４０の両側面にはそれぞれ突起部４０ｐが設けられているとともに、ホルダ収容部３２にはキーホルダ４０の各突起部４０ｐが引っ掛けられる可撓性のラッチ３２ｅが設けられている。そして、キーホルダ４０がホルダ収容部３２の収容穴３２ａに収容される際に、キーホルダ４０が収容穴３２ａの奥まで差し込まれて当該キーホルダ４０の各突起部４０ｐがラッチ３２ｅに引っ掛けられると振動が操作者の手に伝わるとともに音が発生するため、操作者はホルダ収容部３２の収容穴３２ａにキーホルダ４０が完全に収容されたことを認識することができるようになる。
【００３０】
次に、各ホルダ収容部３２に収容されるキーホルダ４０の構成の詳細について図６乃至図９を用いて説明する。本実施の形態では、キーホルダ４０にはリング４２が着脱自在に取り付けられるようになっており、このリング４２により１または複数の鍵が保持されるようになっている。より詳細には、図７に示すように、キーホルダ４０は本体部分４０ａ（ケーシング）および引出部分４０ｂから構成されており、引出部分４０ｂは本体部分４０ａに対して図７における左方向に引き出し可能となっている。このことにより、引出部分４０ｂは、図７（ａ）に示すような本体部分４０ａに収容された収容位置と、図７（ｂ）に示すような本体部分４０ａから引き出された引出位置との間で本体部分４０ａに対して移動するようになる。また、本体部分４０ａにはロック部材４０ｒが設けられており、図７（ａ）に示すように本体部分４０ａに収容された引出部分４０ｂはロック部材４０ｒにより本体部分４０ａの内部でロックされるようになっている。ここで、ロック部材４０ｒにより引出部分４０ｂが本体部分４０ａの内部でロックされると、当該引出部分４０ｂは本体部分４０ａから引き出すことができないようになっている。このようなロック部材４０ｒによる引出部分４０ｂのロックは後述するロック解除部４６により解除することができるようになっている。また、図７（ａ）に示すように本体部分４０ａと引出部分４０ｂとの間にはリング４２が通過するリング取付穴が設けられている。ここで、図７（ａ）に示すように引出部分４０ｂが収容位置に位置しているときには、本体部分４０ａと引出部分４０ｂとの間のリング取付穴に通されたリング４２をキーホルダ４０から外すことができないようになっている。一方、図７（ｂ）に示すように引出部分４０ｂが本体部分４０ａから引き出されて引出位置に位置しているときには、本体部分４０ａと引出部分４０ｂとの間のリング取付穴に通されたリング４２をキーホルダ４０から外すことができるようになっている。このように、図７（ａ）に示すように引出部分４０ｂが収容位置に位置しているときには、キーホルダ４０は、当該キーホルダ４０からリング４２や鍵を取り外し不可とするロック状態となる。一方、図７（ｂ）に示すように引出部分４０ｂが引出位置に位置しているときには、キーホルダ４０は、当該キーホルダ４０からリング４２や鍵を取り外し可能な解除状態となる。
【００３１】
キーホルダ４０から取り外されたリング４２に鍵を取り付ける動作について図８（ａ）〜（ｄ）を用いて説明する。本実施の形態では、リング４２は例えば針金等の略長方形形状の線状のものとなっており、その上縁部分の端部は互いに重なるようになっている。より詳細には、リング４２の両端部はそれぞれＬ型に折れ曲がっており、リング４２の上縁部分において２つの端部のＬ型部分を組み合わせることによりコの字形状の重なり部分が形成されている。ここで、リングの形状が略円形の線状のものである場合と比較して、本実施の形態では略長方形形状の線状のリング４２を用いることにより複数の鍵がリング４２に保持された場合でも各鍵の下端部が横方向に広がってしまうことを防止することができるようになる。このような略長方形形状の線状のリング４２に鍵を保持させる際に、図８（ｂ）に示すように操作者はリング４２の上縁部分における互いに重なっている端部を開き、この開いた端部に鍵の取付穴を入れる。このことにより、図８（ｃ）に示すような状態を経て、図８（ｄ）に示すようにリング４２に鍵が取り付けられるようになる。
【００３２】
また、図９（ａ）〜（ｃ）に示すように、キーホルダ４０に取り付けられたリング４２を当該キーホルダ４０に対して略３００°回転させることができるようになっている。このことによりキーホルダ４０の収納性を向上させることができるようになる。より詳細に説明すると、従来のキーホルダでは、鍵が保持されるリングを当該キーホルダに対して略１８０°程度しか回転させることができなかった。この場合には、リングをキーホルダの上面や下面に近接させることができないため、当該キーホルダの収納性が悪いという問題があった。これに対し、本実施の形態のキーホルダ４０では、図９（ａ）や図９（ｃ）に示すようにリング４２をキーホルダ４０の本体部分４０ａの上面や下面に近接させることができるため、より狭いスペースにキーホルダ４０を収納することができるようになり、よってキーホルダ４０の収納性を向上させることができる。
【００３３】
なお、キーホルダ４０に着脱自在に取り付けられるリングは、図８（ａ）に示すような略長方形形状の線状のものに限定されることはない。キーホルダ４０に着脱自在に取り付けられるリングとして、図１２（ａ）（ｂ）に示すようなものが用いられてもよい。図１２（ａ）に示すリング４２ａでは、その下側の線状部分が下に凸となるようなＶ字形状となっており、また、図１２（ｂ）に示すリング４２ｂでは、その下側の線状部分が下に凸となるような湾曲形状（Ｕ字形状）となっている。図１２（ａ）に示すリング４２ａや図１２（ｂ）に示すリング４２ｂを用いた場合には、これらのリング４２ａ、４２ｂに鍵を保持させたときにリング４２ａ、４２ｂの幅方向における中央位置に鍵を寄せることができるようになる。
【００３４】
また、図６に示すように、キーホルダ４０の上面には導光板４４が取り付けられている。導光板４４は、ホルダ収容部３２に設けられた後述するＬＥＤ３２ｄから発せられた各色の光を受けることにより各色に光るようになっている。
【００３５】
また、図７に示すように、キーホルダ４０の本体部分４０ａの背面には検知タグ４１が設けられている。ここで、検知タグ４１は引出部分４０ｂに取り付けられており、引出部分４０ｂが本体部分４０ａから引き出される際に検知タグ４１も引出部分４０ｂと一体的に本体部分４０ａの内部で移動するようになっている。また、ホルダ収容部３２の収容穴３２ａの奥部にはフォトセンサ３２ｃが設けられている。より詳細には、フォトセンサ３２ｃの光軸は図７の紙面に対して直交する方向に延びるようになっており、図７（ａ）に示すように引出部分４０ｂが収容位置にある状態でキーホルダ４０がホルダ収容部３２の収容穴３２ａに収容されたときには検知タグ４１がフォトセンサ３２ｃにより検知されるようになる。このことにより、後述する鍵管理機１０の制御部５０は、ホルダ収容部３２に収容されたキーホルダ４０はロック状態であると判断するようになる。一方、図７（ｂ）に示すように引出部分４０ｂが引出位置にある状態でキーホルダ４０がホルダ収容部３２の収容穴３２ａに収容されたときには検知タグ４１がフォトセンサ３２ｃにより検知されないようになる。このことにより、後述する鍵管理機１０の制御部５０は、ホルダ収容部３２に収容されたキーホルダ４０は解除状態であると判断するようになる。
【００３６】
また、図７に示すように、キーホルダ４０の本体部分４０ａの背面にはＩＣタグ４０ｍが取り付けられている。また、ホルダ収容部３２の収容穴３２ａの奥部にはリーダライタ３２ｂが設けられており、キーホルダ４０がホルダ収容部３２の収容穴３２ａに収容されたときに、ＩＣタグ４０ｍに記憶されている情報がリーダライタ３２ｂにより読み取られたり、リーダライタ３２ｂによりＩＣタグ４０ｍに様々な情報が書き込まれたりするようになっている。ここで、ＩＣタグ４０ｍには、例えばキーホルダ４０の識別番号が記憶されるようになっている。具体的には、上述したように、また、３列の各ホルダ収容部３２のうち上段の各ホルダ収容部３２に収容される各キーホルダ４０には左から順に１〜１０の識別番号が付されており、中段の各ホルダ収容部３２に収容される各キーホルダ４０には左から順に１１〜２０の識別番号が付されており、下段の各ホルダ収容部３２に収容される各キーホルダ４０には左から順に２１〜３０の識別番号が付されている。そして、キーホルダ４０に設けられたＩＣタグ４０ｍには、このようなキーホルダ４０の識別番号（具体的には、１〜３０のうち何れかの識別番号）が記憶されるようになっている。
【００３７】
また、本実施の形態では、キーホルダ４０がホルダ収容部３２の収容穴３２ａに収容されたときに、ＩＣタグ４０ｍに記憶されている情報がリーダライタ３２ｂにより読み取られたり、リーダライタ３２ｂによりＩＣタグ４０ｍに様々な情報が書き込まれたりすることに基づいて、後述する鍵管理機１０の制御部５０は、ホルダ収容部３２にキーホルダ４０が収容されていると判断するようになっている。なお、このような態様の代わりに、キーホルダ４０がホルダ収容部３２の収容穴３２ａに収容されたときに、ＩＣタグ４０ｍがリーダライタ３２ｂによって検知されることにより、ホルダ収容部３２にキーホルダ４０が収容されていると後述する制御部５０により判断されるようになっていてもよい。
【００３８】
また、図３に示すようにホルダ収容部３２にはＬＥＤ３２ｄが設けられており、当該ＬＥＤ３２ｄは各色に光るようになっている。ここで、ＬＥＤ３２ｄが各色に光ると、ホルダ収容部３２に取り付けられている導光体３４や、ホルダ収容部３２に収容されたキーホルダ４０の上面にある導光板４４は、ＬＥＤ３２ｄから発せられた各色の光を受けることにより各色に光るようになる。
【００３９】
また、図１に示すように、鍵管理機１０の前面上部には、キーホルダ４０を、当該キーホルダ４０からリング４２や鍵を取り外し不可とするロック状態からリング４２や鍵を取り外し可能な解除状態とするロック解除部４６が設けられている。このようなロック解除部４６の構成の詳細について図１０および図１１を用いて説明する。
【００４０】
図１および図１０に示すように、ロック解除部４６には、ロック部材４０ｒによる引出部分４０ｂのロックが解除されるべきキーホルダ４０が収容される収容穴４６ａが設けられている。また、ロック解除部４６における収容穴４６ａの奥部にはアンテナ４６ｂが設けられており、キーホルダ４０がロック解除部４６の収容穴４６ａに収容されたときに、ＩＣタグ４０ｍがアンテナ４６ｂにより検知されるようになっている。このことにより、後述する鍵管理機１０の制御部５０は、ロック解除部４６の収容穴４６ａにキーホルダ４０が収容されていると判断するようになる。また、キーホルダ４０がロック解除部４６の収容穴４６ａに収容されたときに、ＩＣタグ４０ｍに記憶されている情報がアンテナ４６ｂにより読み取られるようになっている。また、ロック解除部４６には、収容穴４６ａに収容されているキーホルダ４０におけるロック部材４０ｒに作用することによって当該ロック部材４０ｒによる引出部分４０ｂのロックを解除するロック解除部材４６ｃが設けられている。より詳細に説明すると、図１１（ａ）に示すようにロック解除部４６の収容穴４６ａにキーホルダ４０が収容された後、このキーホルダ４０が操作者によって時計回りの方向に９０°回転させられたときに（図１１（ｂ）参照）、ロック部材４０ｒによる引出部分４０ｂのロックがロック解除部材４６ｃにより解除されるようになっている。このことにより、図１１（ｃ）に示すようにキーホルダ４０の引出部分４０ｂを本体部分４０ａから引き出すことができるようになる。なお、このような状態ではキーホルダ４０をロック解除部４６の収容穴４６ａから抜き取ることができないようになっている。その後、図１１（ｄ）に示すようにキーホルダ４０が操作者によって反時計回りの方向に９０°回転させられると、このキーホルダ４０をロック解除部４６の収容穴４６ａから抜き取ることができるようになる。このようにしてキーホルダ４０が解除状態になると、図１１（ｅ）に示すようにキーホルダ４０からリング４２やこのリング４２により保持されている鍵（図１１では図示せず）を取り外すことができるようになり、リング４２から鍵を取り外したり当該リング４２に新たな鍵を保持させたりすることができるようになる。その後、リング４２をキーホルダ４０の本体部分４０ａと引出部分４０ｂとの間にあるリング取付穴に入れた後、図１１（ｆ）に示すように引出部分４０ｂを本体部分４０ａの内部に押し込むことにより、ロック部材４０ｒにより引出部分４０ｂが本体部分４０ａの内部にロックされ、キーホルダ４０はロック状態となる。
【００４１】
なお、図１に示す鍵管理機１０ではロック解除部４６が筐体１２に取り付けられているような態様について示されているが、本実施の形態はこのような態様に限定されることはない。キーホルダ４０をロック状態から解除状態とするロック解除部が鍵管理機１０の筐体１２とは別に設けられていてもよい。この場合には、鍵管理機１０の筐体１２とは別に設けられたロック解除部が無線または有線により後述する制御部５０と通信可能に接続されていてもよく、あるいはロック解除部が制御部５０と通信可能に接続されていなくてもよい。前者の場合には、ロック解除部に設けられたアンテナによりキーホルダ４０のＩＣタグ４０ｍから読み取られた情報（具体的には、例えばキーホルダ４０の識別番号）をロック解除部から制御部５０に送信することができるようになる。
【００４２】
また、図１に示すように、鍵管理機１０の筐体１２の前面上部には例えばタッチパネル等からなる操作表示部５２および認証部５４が左右に並ぶよう設けられている。操作表示部５２には鍵管理機１０の操作画面や当該鍵管理機１０における鍵の保管状況を示す画面等の様々な画面が表示されるようになっている。また、操作者は操作表示部５２を操作することにより後述する制御部５０に様々な指令を与えることができるようになっている。また、認証部５４は、操作者が所持するＩＣカードに記録されている情報を読み取るＩＣカードリーダ５４ａから構成されている。このことにより、認証部５４において、ＩＣカードに記録されている操作者ＩＤ（すなわち、操作者の識別情報）等の様々な情報がＩＣカードリーダ５４ａによって取得され、この取得された操作者の識別情報等に基づいて操作者の権限の確認が行われるようになっている。
【００４３】
また、図１に示すように、鍵管理機１０の筐体１２には追加ユニット６０を横付けで取り付けることができるようになっており、この追加ユニット６０にはプリンタ６２が設けられている。プリンタ６２は、各ホルダ収容部３２によるキーホルダ４０の収容状態等の様々な情報を紙に印字するようになっており、プリンタ６２により印字が行われた紙は当該プリンタ６２の前面に設けられた開口から手前側に排出されるようになっている。また、認証部５４として、操作者が所持するＩＣカードに記録されている情報を読み取るＩＣカードリーダ５４ａを設ける代わりに、操作者の指や掌等の静脈に関する情報を取得し、この取得された操作者の指や掌等の静脈に関する情報に基づいて操作者の識別情報を取得する静脈認証ユニットを追加ユニット６０におけるプリンタ６２の下方に設けてもよい。
【００４４】
次に、本実施の形態による鍵管理機１０における制御系の構成について図１３に示す機能ブロック図を用いて説明する。図１３に示すように、鍵管理機１０には、当該鍵管理機１０の各構成部材の制御を行うための制御部５０が設けられている。ここで、制御部５０には扉施錠部２２、各ホルダ収容部３２の構成部材（具体的には、ロック機構３６のソレノイド３８、リーダライタ３２ｂ、フォトセンサ３２ｃ、ＬＥＤ３２ｄ等）、ロック解除部４６、操作表示部５２、認証部５４、プリンタ６２等がそれぞれ接続されている。制御部５０は、鍵管理機１０の各構成部材に指令信号を送ることによりこれらの構成部材の制御を行うようになっている。また、リーダライタ３２ｂによりキーホルダ４０のＩＣタグ４０ｍから読み取られた情報やフォトセンサ３２ｃによるキーホルダ４０の検知タグ４１の検知情報、ロック解除部４６のアンテナ４６ｂによりキーホルダ４０のＩＣタグ４０ｍから読み取られた情報は制御部５０に送られるようになっている。また、操作表示部５２によって操作者により入力された指令に関する情報も制御部５０に送られるようになっている。また、認証部５４により操作者のＩＣカードから読み取られた操作者の識別情報も制御部５０に送られるようになっている。
【００４５】
また、制御部５０には記憶部５６および判定手段５８がそれぞれ接続されている。記憶部５６には、鍵管理機１０の設定内容や、鍵管理機１０を使用可能な操作者の識別情報、各ホルダ収容部３２によるキーホルダ４０の収容状況等が記憶されるようになっている。また、記憶部５６には、操作者の識別情報と、当該操作者にとって抜き取り可能なキーホルダ４０が収容されるホルダ収容部３２との関係が記憶されるようになっている。また、記憶部５６には、キーホルダ４０により保持される鍵に関する情報が、当該キーホルダ４０が収容されるホルダ収容部３２毎に記憶されるようになっている。ここで、キーホルダ４０により保持される鍵に関する情報とは、例えば鍵が使用される場所や、当該鍵により開錠される収納棚や金庫の識別番号等の情報のことをいう。このような記憶部５６に記憶される情報の詳細については後述する。また、判定手段５８は、ホルダ収容部３２に収容されたキーホルダ４０が図７（ｂ）に示すような解除状態であるとフォトセンサ３２ｃによる検知結果に基づいて制御部５０により判断されると、キーホルダ４０に保持される鍵の交換が未完了であると判定するようになっている。このような判定手段５８の機能の詳細については後述する。
【００４６】
次に、このような鍵管理機１０の動作（具体的には、鍵管理機１０の各ホルダ収容部３２からキーホルダ４０を抜き取る動作やキーホルダ４０に保持されている鍵を交換する動作、キーホルダ４０を各ホルダ収容部３２に戻す動作）について説明する。なお、以下に示すような鍵管理機１０の動作は制御部５０が当該鍵管理機１０の各構成部材を制御することにより行われるようになっている。
【００４７】
最初に、鍵管理機１０の各ホルダ収容部３２からキーホルダ４０を抜き取る動作について説明する。鍵管理機１０からキーホルダ４０を抜き取ろうとする操作者は、まず自己が所持するＩＣカードをＩＣカードリーダ５４ａにより読み取らせたり、指や掌の静脈に係る情報を静脈認証ユニットにより取得させたりする。このことにより、鍵管理機１０からキーホルダ４０を抜き取ろうとする操作者の識別情報が認証部５４により認証されるようになる。そして、認証された操作者の識別情報が、記憶部５６に予め登録されている所定のＩＤである場合には、操作者の権限の確認が行われ、制御部５０は扉施錠部２２に対して前面扉２０の解錠指令を送る。なお、ＩＣカードをＩＣカードリーダ５４ａにより読み取らせたり、指や掌の静脈に係る情報を静脈認証ユニットにより取得させたりする代わりに、操作表示部５２により操作者の識別情報および所定の暗証番号を入力することにより当該操作者の識別情報の取得および権限の確認が制御部５０において行われ、扉施錠部２２に対して前面扉２０の解錠指令が制御部５０により発せられるようになっていてもよい。前面扉２０の解錠指令が扉施錠部２２に送られると、図１に示すように操作者は前面扉２０を開いて筐体１２の内部にある各ホルダ収容部３２にアクセスすることができるようになる。
【００４８】
また、上述したように、記憶部５６には、操作者の識別情報と、当該操作者にとって抜き取り可能なキーホルダ４０が収容されるホルダ収容部３２との関係が記憶されるとともに、キーホルダ４０により保持される鍵に関する情報（具体的には、鍵が使用される場所等に関する情報）が、当該キーホルダ４０が収容されるホルダ収容部３２毎に記憶されるようになっている。そして、上述したように操作者の識別情報が認証されると、記憶部５６に記憶されている情報に基づいて、認証された操作者の識別情報に対応するホルダ収容部３２に関連する、鍵に関する情報のリストが制御部５０から出力される。ここで、制御部５０から出力された情報は操作表示部５２に表示されるようになる。具体的には、記憶部５６に記憶されている情報において、ある操作者の識別情報に対して複数のホルダ収容部３２が関連付けられていた場合には、この操作者の識別情報が認証されたときに、図１４（ａ）に示すように、当該操作者の識別情報に関連付けられている全てのホルダ収容部３２に関連する、鍵に関する情報（具体的には、鍵が使用される場所等に関する情報）のリストが操作表示部５２の右半分の領域に表示される。この際に、鍵が使用される場所等に関する情報は、ホルダ収容部３２の識別番号順に表示されるようになる。
【００４９】
また、図１４（ａ）に示す操作表示部５２の画面の左半分の領域には鍵管理機１０の各ホルダ収容部３２がレイアウト表示されるとともに、認証された操作者の識別情報に関連付けられている全てのホルダ収容部３２の位置が例えば点滅するようになる。このことにより、操作者は自分の識別情報に対応する全てのホルダ収容部３２（すなわち、自分の識別情報で抜き取り可能なキーホルダ４０）の位置を一目で理解することができるようになる。また、操作者は、図１４（ａ）に示す操作表示部５２の画面の右半分の領域を見ることにより、どの場所の鍵がどのホルダ収容部３２に収容されているかを一目で理解することができるようになる。また、制御部５０は、ＩＣカードリーダ５４ａ等の認証部５４により認証された操作者の識別情報に対応するホルダ収容部３２に関連する、鍵に関する情報のリストを出力すると、認証された操作者の識別情報に対応するホルダ収容部３２に設けられたロック機構３６によるキーホルダ４０のロックを解除する。具体的には、認証された操作者の識別情報に対応する各ホルダ収容部３２に設けられたソレノイド３８によってレバー部材３８ａが動作されることにより、このレバー部材３８ａに設けられた係合部分３８ｂとキーホルダ４０の凹部４０ｃとの係合が外れる。このことにより、操作者は、認証された操作者の識別情報に対応するホルダ収容部３２の収容穴３２ａからキーホルダ４０を抜き取ることができるようになる。
【００５０】
また、本実施の形態では、認証された操作者の識別情報に関連付けられている全てのホルダ収容部３２に設けられた各ＬＥＤ３２ｄが点灯するようになる。このことにより、図１４（ｂ）に示すように、認証された操作者の識別情報に関連付けられているホルダ収容部３２に取り付けられている導光体３４や、ホルダ収容部３２に収容されたキーホルダ４０の上面にある導光板４４が、ＬＥＤ３２ｄから発せられた光を受けることにより光るようになる。
【００５１】
その後、図１５（ａ）に示すように、操作表示部５２に表示されている、鍵に関する情報（具体的には、鍵が使用される場所等に関する情報）のリストのうちある一つの項目を操作者が指で押下すると、図１６（ａ）に示すように、操作者により選択された、ホルダ収容部３２に対応する１つの情報のみが操作表示部５２に表示されるようになる。また、鍵管理機１０の各ホルダ収容部３２のレイアウト表示において、操作者により選択された１つのホルダ収容部３２のみの位置が例えば点滅するようになる。このことにより、操作者はどのホルダ収容部３２からキーホルダ４０を抜き取るべきかを一目で理解することができるようになる。また、図１６（ｂ）に示すように、操作者により選択された１つのホルダ収容部３２に設けられたＬＥＤ３２ｄが点灯するようになる。このことにより、操作者がキーホルダ４０を抜き取るべきホルダ収容部３２に取り付けられている導光体３４や、ホルダ収容部３２に収容されたキーホルダ４０の上面にある導光板４４のみが、ＬＥＤ３２ｄから発せられた光を受けることにより光るようになる。
【００５２】
また、操作者によりある一つのホルダ収容部３２が選択されると、操作表示部５２に表示されるリストに係る複数のホルダ収容部３２のうち選択された特定のホルダ収容部３２以外のホルダ収容部３２に設けられたロック機構３６によりキーホルダ４０が再びホルダ収容部３２にロックされる。このことにより、操作者は、操作表示部５２に表示されるリストに係る複数のホルダ収容部３２のうち選択された特定のホルダ収容部３２のみからキーホルダ４０を抜き取ることができるようになる。そして、操作者がこの特定のホルダ収容部３２からキーホルダ４０を抜き取ると、キーホルダ４０が抜き取られたホルダ収容部３２に設けられたＬＥＤ３２ｄは例えば別の色で点灯し、このホルダ収容部３２に取り付けられている導光体３４も別の色で光るようになる。このことにより、操作者はキーホルダ４０を戻すべきホルダ収容部３２を一目で理解することができるようになる。また、ホルダ収容部３２からキーホルダ４０が抜き取られると、ホルダ収容部３２からキーホルダ４０が抜き取られたという履歴が当該キーホルダ４０の識別番号に紐付けられて記憶部５６に記憶されるようになる。
【００５３】
なお、上記の説明では、認証部５４により操作者の識別情報が認証されると、認証された操作者の識別情報に対応するホルダ収容部３２に設けられたロック機構３６によるキーホルダ４０のロックが解除され、その後、操作者によりある一つのホルダ収容部３２が選択されると、この選択された特定のホルダ収容部３２以外のホルダ収容部３２に設けられたロック機構３６によりキーホルダ４０が再びホルダ収容部３２にロックされるような態様について述べたが、本実施の形態はこのような態様に限定されることはない。本実施の形態における他の態様として、認証部５４により操作者の識別情報が認証された場合に、認証された操作者の識別情報に対応するホルダ収容部３２に関連する、鍵に関する情報のリストが操作表示部５２に表示されるが、認証された操作者の識別情報に対応するホルダ収容部３２に設けられたロック機構３６によるキーホルダ４０のロックが解除されないようになっていてもよい。この場合、操作表示部５２に表示される鍵に関する情報のリストにおいて、操作者によりある一つのホルダ収容部３２が選択されると、この選択された特定のホルダ収容部３２に設けられたロック機構３６によるキーホルダ４０のロックが解除されるようになる。また、本実施の形態における更に他の態様として、認証部５４により操作者の識別情報が認証されると、認証された操作者の識別情報に対応するホルダ収容部３２に設けられたロック機構３６によるキーホルダ４０のロックが解除され、その後、操作表示部５２の操作画面において詳細表示ボタン（鍵に関する情報をリスト表示するためのボタン）が操作者により選択された場合には、全てのキーホルダ４０がロック機構３６によりロックされるようになっていてもよい。この場合には、操作表示部５２に表示される鍵に関する情報のリストにおいて、操作者によりある一つのホルダ収容部３２が選択されると、この選択された特定のホルダ収容部３２に設けられたロック機構３６によるキーホルダ４０のロックが解除されるようになる。
【００５４】
また、図１４（ａ）に示す操作表示部５２の画面の右半分の領域では、操作者の識別情報に関連付けられている全てのホルダ収容部３２に関連する、鍵に関する情報（具体的には、鍵が使用される場所等に関する情報）のリストがホルダ収容部３２の識別番号順に表示されるようになっているが、本実施の形態はこのような態様に限定されることはない。図１４（ａ）に示す操作表示部５２の画面の右半分の領域に表示される、鍵が使用される複数の場所等に関する情報のリストにおける表示の順番の様々な例を図１７（ａ）〜（ｆ）に示す。
【００５５】
図１７（ａ）では、操作者の識別情報に関連付けられている全てのホルダ収容部３２に関連する、鍵に関する情報のリストがキーホルダ４０の使用頻度の高い順に操作表示部５２に表示されるようになっている。具体的には、記憶部５６には、各ホルダ収容部３２におけるキーホルダ４０の使用回数に係る情報が記憶されるようになっている。また、ホルダ収容部３２からキーホルダ４０が抜き取られる度に、記憶部５６に記憶されているキーホルダ４０の使用回数に係る情報が更新されるようになっている。そして、操作者の識別情報が認証されると、記憶部５６に記憶されている情報に基づいて、認証された操作者の識別情報に対応するホルダ収容部３２に関連する、鍵に関する情報（具体的には、鍵が使用される場所等に関する情報および鍵の使用回数）のリストがキーホルダ４０の使用頻度の高い順に操作表示部５２に表示される。
【００５６】
図１７（ｂ）では、操作者の識別情報に関連付けられている全てのホルダ収容部３２に関連する、鍵に関する情報のリストが個人のキーホルダ４０の使用頻度の高い順に操作表示部５２に表示されるようになっている。具体的には、記憶部５６には、各ホルダ収容部３２におけるキーホルダ４０の使用回数に係る情報が操作者毎に記憶されるようになっている。また、ホルダ収容部３２からキーホルダ４０が抜き取られる度に、記憶部５６に記憶されている、操作者毎のキーホルダ４０の使用回数に係る情報が更新されるようになっている。そして、操作者の識別情報が認証されると、記憶部５６に記憶されている情報に基づいて、認証された操作者の識別情報に対応するホルダ収容部３２に関連する、鍵に関する情報（具体的には、鍵が使用される場所等に関する情報および鍵の使用回数）のリストが当該操作者のキーホルダ４０の使用頻度の高い順に操作表示部５２に表示される。
【００５７】
図１７（ｃ）では、操作者の識別情報に関連付けられている全てのホルダ収容部３２に関連する、鍵に関する情報のリストが所定の時間帯におけるキーホルダ４０の使用頻度の高い順に操作表示部５２に表示されるようになっている。具体的には、記憶部５６には、各ホルダ収容部３２におけるキーホルダ４０の使用回数に係る情報が所定の時間帯毎（例えば、図１７（ｃ）に示す例では１０：００〜１６：００の時間帯）に記憶されるようになっている。また、ホルダ収容部３２からキーホルダ４０が抜き取られる度に、記憶部５６に記憶されている、所定の時間帯毎のキーホルダ４０の使用回数に係る情報が更新されるようになっている。そして、操作者の識別情報が認証されると、記憶部５６に記憶されている情報に基づいて、認証された操作者の識別情報に対応するホルダ収容部３２に関連する、鍵に関する情報（具体的には、鍵が使用される場所等に関する情報および鍵の使用回数）のリストが所定の時間帯毎のキーホルダ４０の使用頻度の高い順に操作表示部５２に表示される。
【００５８】
図１７（ｄ）では、操作者の識別情報に関連付けられている全てのホルダ収容部３２に関連する、鍵に関する情報のリストが所定の時間帯における個人のキーホルダ４０の使用頻度の高い順に操作表示部５２に表示されるようになっている。具体的には、記憶部５６には、各ホルダ収容部３２におけるキーホルダ４０の使用回数に係る情報が所定の時間帯毎（例えば、図１７（ｄ）に示す例では１０：００〜１６：００の時間帯）かつ操作者毎に記憶されるようになっている。また、ホルダ収容部３２からキーホルダ４０が抜き取られる度に、記憶部５６に記憶されている、所定の時間帯毎かつ操作者毎のキーホルダ４０の使用回数に係る情報が更新されるようになっている。そして、操作者の識別情報が認証されると、記憶部５６に記憶されている情報に基づいて、認証された操作者の識別情報に対応するホルダ収容部３２に関連する、鍵に関する情報（具体的には、鍵が使用される場所等に関する情報および鍵の使用回数）のリストが当該操作者の所定の時間帯毎のキーホルダ４０の使用頻度の高い順に操作表示部５２に表示される。
【００５９】
図１７（ｅ）では、操作者の識別情報に関連付けられている全てのホルダ収容部３２に関連する、鍵に関する情報のリストがキーホルダ４０の直近の使用のタイミングの順に操作表示部５２に表示されるようになっている。具体的には、記憶部５６には、各ホルダ収容部３２におけるキーホルダ４０の使用日時に係る情報が記憶されるようになっている。また、ホルダ収容部３２からキーホルダ４０が抜き取られる度に、記憶部５６に記憶されているキーホルダ４０の使用日時に係る情報が更新されるようになっている。そして、操作者の識別情報が認証されると、記憶部５６に記憶されている情報に基づいて、認証された操作者の識別情報に対応するホルダ収容部３２に関連する、鍵に関する情報（具体的には、鍵が使用される場所等に関する情報および鍵の直近の使用のタイミング）のリストがキーホルダ４０の直近の使用のタイミングの順に操作表示部５２に表示される。すなわち、過去にキーホルダ４０が使用されたタイミングが現在の日時から近いものから順に鍵に関する情報のリストが操作表示部５２に表示されるようになる。
【００６０】
図１７（ｆ）では、操作者の識別情報に関連付けられている全てのホルダ収容部３２に関連する、鍵に関する情報のリストが、鍵が使用される場所の名称順に操作表示部５２に表示されるようになっている。具体的には、記憶部５６には、各ホルダ収容部３２におけるキーホルダ４０により保持される鍵が使用される場所の名称に係る情報が記憶されるようになっている。そして、操作者の識別情報が認証されると、記憶部５６に記憶されている情報に基づいて、認証された操作者の識別情報に対応するホルダ収容部３２に関連する、鍵に関する情報（具体的には、鍵が使用される場所等に関する情報）のリストが、鍵が使用される場所の名称順に表示される。具体的には、鍵が使用される場所の名称の最初の文字がローマ字表記である場合にはローマ字順に表示される。また、操作表示部５２に表示されるリストにおいてその次に、最初の文字がローマ字表記でない、鍵が使用される場所の名称が五十音順に表示されるようになる。
【００６１】
なお、操作者の識別情報に関連付けられている全てのホルダ収容部３２に関連する、鍵に関する情報のリストが操作表示部５２に表示される際に、鍵に関する情報のリストが、個人の（すなわち、操作者毎の）キーホルダ４０の直近の使用のタイミングの順に操作表示部５２に表示されるようになっていてもよい。
【００６２】
また、図１４乃至図１７に示す例では、操作表示部５２における右半分の領域に、操作者の識別情報に関連付けられている全てのホルダ収容部３２に関連する、鍵に関する情報のリストが表示され、また、操作表示部５２における左半分の領域に、鍵管理機１０の各ホルダ収容部３２がレイアウト表示されるとともに、認証された操作者の識別情報に関連付けられている全てのホルダ収容部３２の位置が例えば点滅するようになっているが、本実施の形態はこのような態様に限定されることはない。他の例として、操作者の識別情報に関連付けられている全てのホルダ収容部３２に関連する、鍵に関する情報のリストのみが操作表示部５２の全面に表示されるようになっていてもよい。この場合には、鍵管理機１０の各ホルダ収容部３２のレイアウトは操作表示部５２には表示されないようになる。この場合でも、操作者の識別情報に関連付けられているホルダ収容部３２に取り付けられている導光体３４や、ホルダ収容部３２に収容されたキーホルダ４０の上面にある導光板４４が光ることにより、操作者は自分の識別情報に対応する全てのホルダ収容部３２（すなわち、自分が抜き取り可能なキーホルダ４０）の位置を一目で理解することができる。また、更に他の例として、操作者の識別情報が認証されたときに、この操作者の識別情報に対応するホルダ収容部３２のＬＥＤ３２ｄが光らないようになっていてもよい。この場合には、操作者の識別情報が認証されても、操作者の識別情報に関連付けられているホルダ収容部３２に取り付けられている導光体３４や、ホルダ収容部３２に収容されたキーホルダ４０の上面にある導光板４４が光らないようになる。
【００６３】
また、操作表示部５２に表示される画面は図１４乃至図１７に示す画面に限定されることはない。変形例に係る鍵管理機１０において、鍵管理機１０からキーホルダ４０を抜き取ろうとする操作者の識別情報が認証部５４により認証され、操作者の権限の確認が行われると、図１８や図１９に示す画面が操作表示部５２に表示されるようになっていてもよい。
【００６４】
上述したように、操作者の識別情報が認証部５４により認証されると、記憶部５６に記憶されている情報に基づいて、認証された操作者の識別情報に対応するホルダ収容部３２に関連する、鍵に関する情報のリストが制御部５０から出力される。ここで、制御部５０から出力された情報は操作表示部５２において図１８および図１９に示す画面で表示されるようになる。具体的には、操作者の識別情報が認証部５４により認証されると、まず、図１８に示すような、全てのホルダ収容部３２の識別番号が操作表示部５２に一覧表示される。ここで、記憶部５６に記憶されている情報において、ある操作者の識別情報に対して複数のホルダ収容部３２が関連付けられていた場合には、この操作者の識別情報が認証されたときに、当該操作者の識別情報に関連付けられている全てのホルダ収容部３２の表示領域の外枠が光るようになる（図１８ではこの光った部分を白色の枠で表示）。また、図１８に示す画面において操作者が「詳細表示」のボタンを押下すると、操作表示部５２の表示画面が図１９に示す画面に切り替わる。図１９に示す画面では、識別番号が１〜１０のホルダ収容部３２に関連する、鍵に関する情報（具体的には、鍵が使用される場所等に関する情報）のリストが一覧表示されるようになる。また、図１９に示す画面でも、認証された操作者の識別情報に関連付けられている全てのホルダ収容部３２の表示領域の外枠が光るようになる。また、図１９に示す画面の下部に設けられた左右の矢印のボタンを操作者が押下すると、識別番号が１１〜２０のホルダ収容部３２や、識別番号が２１〜３０のホルダ収容部３２に関連する、鍵に関する情報のリストが一覧表示されるようになる。なお、図１９に示す画面において、制御部５０により出力された情報のリストが、キーホルダ４０の使用頻度、操作者毎のキーホルダ４０の使用頻度、時間帯毎のキーホルダ４０の使用頻度、時間帯毎かつ操作者毎のキーホルダ４０の使用頻度、キーホルダ４０の直近の使用のタイミングのうちいずれかに基づいて順番に並べられた状態で操作表示部５２に表示されるようになっていてもよい。
【００６５】
その後、図１８に示すような、全てのホルダ収容部３２の識別番号からある一つのホルダ収容部３２の識別番号を操作者が指で押下して選択したり、図１９に示すような、操作表示部５２に表示されている、鍵に関する情報（具体的には、鍵が使用される場所等に関する情報）のリストのうちある一つの項目を操作者が指で押下して選択したりした後に確定ボタンを押下すると、操作者により選択された、ホルダ収容部３２に対応する１つの情報のみが操作表示部５２に表示されるようになる。また、このホルダ収容部３２に設けられたロック機構３６によるキーホルダ４０のロックが解除される。また、操作者により選択された１つのホルダ収容部３２に設けられたＬＥＤ３２ｄが点灯するようになる。このことにより、操作者がキーホルダ４０を抜き取るべきホルダ収容部３２に取り付けられている導光体３４や、ホルダ収容部３２に収容されたキーホルダ４０の上面にある導光板４４のみが、ＬＥＤ３２ｄから発せられた光を受けることにより光るようになる。
【００６６】
次に、鍵管理機１０の各ホルダ収容部３２から抜き取られたキーホルダ４０に保持されている鍵を交換する際の動作について以下に説明する。
【００６７】
操作者は、まず、図１１（ａ）に示すように、保持されている鍵を交換したいキーホルダ４０をロック解除部４６の収容穴４６ａに挿入する。このことにより、キーホルダ４０のＩＣタグ４０ｍに記憶されている情報（例えば、キーホルダ４０の識別番号）がアンテナ４６ｂにより読み取られる。そして、ロック解除部４６の収容穴４６ａにキーホルダ４０が収容された後、操作者は図１１（ｂ）に示すようにこのキーホルダ４０を時計回りの方向に９０°回転させる。このことにより、ロック部材４０ｒによる引出部分４０ｂのロックがロック解除部材４６ｃにより解除される。このため、図１１（ｃ）に示すようにキーホルダ４０の引出部分４０ｂを本体部分４０ａから引き出すことができるようになる。
【００６８】
その後、操作者は図１１（ｄ）に示すようにキーホルダ４０を反時計回りの方向に９０°回転させる。このことにより、操作者はキーホルダ４０をロック解除部４６の収容穴４６ａから抜き取ることができるようになる。その後、操作者はロック解除部４６の収容穴４６ａから抜き取られたキーホルダ４０について任意の場所で図１１（ｅ）に示すようにキーホルダ４０からリング４２やこのリング４２により保持されている鍵（図１１では図示せず）を取り外すことができるようになる。このことにより、操作者はリング４２から鍵を取り外したり当該リング４２に新たな鍵を保持させたりすることができるようになる。その後、リング４２をキーホルダ４０の本体部分４０ａと引出部分４０ｂとの間にあるリング取付穴に入れた後、図１１（ｆ）に示すように引出部分４０ｂを本体部分４０ａの内部に押し込むことにより、ロック部材４０ｒにより引出部分４０ｂが本体部分４０ａの内部にロックされ、キーホルダ４０はロック状態となる。また、本実施の形態では、ロック解除部４６のロック解除部材４６ｃによりロック部材４０ｒによる引出部分４０ｂのロックが解除されると、アンテナ４６ｂによりＩＣタグ４０ｍから読み取られたキーホルダ４０の識別番号と、当該キーホルダ４０においてロック部材４０ｒによる引出部分４０ｂのロックが解除されたという情報とが紐付けられて記憶部５６に記憶される。すなわち、記憶部５６には、ロック解除部４６によるキーホルダ４０のロック解除の履歴が記憶されるようになる。
【００６９】
次に、キーホルダ４０を鍵管理機１０の各ホルダ収容部３２に戻す動作について以下に説明する。本実施の形態では、キーホルダ４０を各ホルダ収容部３２に戻す際に、キーホルダ４０が図７（ａ）に示すようなロック状態および図７（ｂ）に示すような解除状態のうち何れの状態であるかを検知することができるようになっている。
【００７０】
キーホルダ４０に保持されている鍵の交換を行った後、図１１（ｆ）に示すようにロック部材４０ｒにより引出部分４０ｂが本体部分４０ａの内部にロックされてキーホルダ４０がロック状態となった後にこのキーホルダ４０が元のホルダ収容部３２の収容穴３２ａに挿入されると、キーホルダ４０の奥側の下端縁がレバー部材３８ａの係合部分３８ｂの傾斜面に当たることによりレバー部材３８ａはバネ３９による力に抗して図５（ｂ）における下方に移動する。その後、ホルダ収容部３２の収容穴３２ａにキーホルダ４０が完全に収容されると、バネ３９によってレバー部材３８ａが図５（ｂ）における上方向に押されることによりキーホルダ４０の凹部４０ｃにレバー部材３８ａの係合部分３８ｂが挿入される。このようにして、キーホルダ４０はロック機構３６によりロックされる。また、キーホルダ４０がホルダ収容部３２の収容穴３２ａに収容されたときに、ＩＣタグ４０ｍに記憶されているキーホルダ４０の識別番号がリーダライタ３２ｂにより読み取られる。また、制御部５０は、ＩＣタグ４０ｍに記憶されているキーホルダ４０の識別番号がリーダライタ３２ｂにより読み取られたことに基づいて、キーホルダ４０がホルダ収容部３２に収容されたと判断する。ここで、リーダライタ３２ｂにより読み取られたキーホルダ４０の識別番号が、当該キーホルダ４０が収容されたホルダ収容部３２の識別番号と一致した場合には、制御部５０は、正しい場所のホルダ収容部３２にキーホルダ４０が収容されたと判断するようになる。また、図７（ａ）に示すように引出部分４０ｂが収容位置にある状態でキーホルダ４０がホルダ収容部３２の収容穴３２ａに収容されたときには検知タグ４１がフォトセンサ３２ｃにより検知される。このことにより、制御部５０は、ホルダ収容部３２に収容されたキーホルダ４０がロック状態であると判断する。このように、制御部５０において、正しい場所のホルダ収容部３２にキーホルダ４０が収容され、しかもホルダ収容部３２に収容されたキーホルダ４０がロック状態であると判断されると、当該キーホルダ４０において鍵の交換が正常に行われたと判定手段５８により判定されるようになる。また、この場合には、ホルダ収容部３２から抜き取られたキーホルダ４０において鍵の交換が正常に行われたという履歴が当該ホルダ収容部３２の識別番号に紐付けられて記憶部５６に記憶される。
【００７１】
なお、リーダライタ３２ｂにより読み取られたキーホルダ４０の識別番号が、当該キーホルダ４０が収容されたホルダ収容部３２の識別番号と一致しない場合には、制御部５０は、誤った場所のホルダ収容部３２にキーホルダ４０が収容されたと判断するようになる。この場合には、誤った場所のホルダ収容部３２にキーホルダ４０が収容された旨の警告画面が操作表示部５２に表示されるようになる。また、ロック機構３６によるキーホルダ４０のロックが解除され、操作者はキーホルダ４０を誤った場所のホルダ収容部３２から抜き取ることができるようになる。
【００７２】
また、キーホルダ４０に保持されている鍵の交換を行った後、操作者がキーホルダ４０をロック状態にするのを忘れてしまい、図７（ｂ）に示すような解除状態でキーホルダ４０を誤って元のホルダ収容部３２の収容穴３２ａに挿入してしまった場合について以下に述べる。このような場合でも、キーホルダ４０がホルダ収容部３２の収容穴３２ａに収容されたときに、ＩＣタグ４０ｍに記憶されているキーホルダ４０の識別番号がリーダライタ３２ｂにより読み取られる。このことにより、制御部５０は、ホルダ収容部３２にキーホルダ４０が収容されていると判断するようになる。また、図７（ｂ）に示すように引出部分４０ｂが引出位置にある状態でキーホルダ４０がホルダ収容部３２の収容穴３２ａに収容されたときには検知タグ４１がフォトセンサ３２ｃにより検知されない。このことにより、制御部５０は、ホルダ収容部３２に収容されたキーホルダ４０が解除状態であると判断する。ここで、ホルダ収容部３２に収容されたキーホルダ４０が解除状態であると判断されると、ソレノイド３８によってレバー部材３８ａが動作され、このレバー部材３８ａに設けられた係合部分３８ｂがキーホルダ４０の下面から下方に退避する。このことにより、キーホルダ４０がホルダ収容部３２の収容穴３２ａに収容されてもこのキーホルダ４０の凹部４０ｃにレバー部材３８ａの係合部分３８ｂが引っ掛からなくなり、当該キーホルダ４０はロック機構３６によりロックされないようになる。また、ホルダ収容部３２に収容されたキーホルダ４０が解除状態であると判断されると、キーホルダ４０が解除状態である旨の情報が制御部５０から出力される。そして、制御部５０から出力された、キーホルダ４０が解除状態である旨の情報は操作表示部５２に表示される。このことにより、操作者は操作表示部５２に表示される情報を見ることによってキーホルダ４０をロック状態にし忘れたことに気づくことができるようになり、当該操作者はホルダ収容部３２からキーホルダ４０を再び抜き取ってこのキーホルダ４０をロック状態にする。このようにして、キーホルダ４０が解除状態のままホルダ収容部３２に収容されてしまうことを抑制することができるようになる。
【００７３】
なお、キーホルダ４０が解除状態である旨の情報が制御部５０から出力されたときに、この情報が操作表示部５２に表示される代わりに、またはこの情報が操作表示部５２に表示されることに加えて、警告音や警告メッセージが鍵管理機１０から発せられており、図示しない上位端末等の外部装置にこの情報が送信されたりするようになっていてもよい。
【００７４】
また、本実施の形態では、キーホルダ４０がホルダ収容部３２の収容穴３２ａに収容されたときのフォトセンサ３２ｃによる検知結果の履歴が記憶部５６に記憶されるようになっている。また、キーホルダ４０がホルダ収容部３２の収容穴３２ａに収容されたときに、キーホルダ４０が図７（ａ）に示すようなロック状態から図７（ｂ）に示すような解除状態になったことがフォトセンサ３２ｃにより検知されたときに、記憶部５６に記憶されている履歴が更新されるようになっている。また、操作表示部５２に表示される、キーホルダ４０が解除状態である旨の情報を操作者が見ることによってキーホルダ４０をロック状態にし忘れたことに気づき、当該操作者がホルダ収容部３２からキーホルダ４０を再び抜き取ってこのキーホルダ４０をロック状態にした後にキーホルダ４０をホルダ収容部３２に再び収容させると、記憶部５６に記憶されている履歴が更新されるようになっている。
【００７５】
また、本実施の形態では、ホルダ収容部３２に収容されたキーホルダ４０が解除状態であると判断されると、キーホルダ４０に保持される鍵の交換が未完了であると判定手段５８により判定されるようになっている。この場合には、他のホルダ収容部３２に設けられたロック機構３６による他のキーホルダ４０のロックが解除されないようになっている。このことにより、あるキーホルダ４０に保持される鍵の交換が未完了のまま他のホルダ収容部３２から別のキーホルダ４０が抜き取られてこのキーホルダ４０に保持される鍵の交換が行われてしまうことを防止することができるようになる。
【００７６】
なお、キーホルダ４０に保持される鍵の交換が未完了であると判定手段５８により判定された場合に、他のホルダ収容部３２に設けられたロック機構３６による他のキーホルダ４０のロックが解除されないようにする以外にも、操作表示部５２による操作を行うことができないようにしたり、ＩＣカードリーダ５４ａ等の認証部５４により操作者の識別情報を認証することができないようにしたりしてもよい。この場合でも、あるキーホルダ４０に保持される鍵の交換が未完了のまま他のホルダ収容部３２から別のキーホルダ４０が抜き取られてこのキーホルダ４０に保持される鍵の交換が行われてしまうことを防止することができる。また、別の例として、キーホルダ４０に保持される鍵の交換が未完了であると判定手段５８により判定されている状態で、操作者が操作表示部５２により特定のパスワードや認証コードを入力すると、キーホルダ４０に保持される鍵の交換が未完了であっても、他のホルダ収容部３２に設けられたロック機構３６による他のキーホルダ４０のロックが解除され、このキーホルダ４０をホルダ収容部３２から抜き取ることができるようにしてもよい。また、この際に、鍵の交換が未完了であるキーホルダ４０が存在する旨の履歴を記憶部５６に記憶させたり、鍵の交換が未完了であるキーホルダ４０が存在する旨のメッセージを操作表示部５２に表示させたりするようにしてもよい。
【００７７】
以上のように本実施の形態による鍵管理機１０によれば、ＩＣカードリーダ５４ａ等の認証部５４（認証手段）により操作者の識別情報が認証されるようになっており、記憶部５６には、操作者の識別情報と、操作者にとって抜き取り可能なキーホルダ４０（管理部材）が収容されるホルダ収容部３２との関係が記憶されるとともに、キーホルダ４０により保持される鍵に関する情報（具体的には、鍵が使用される場所等に関する情報）が、当該キーホルダ４０が収容されるホルダ収容部３２毎に記憶されるようになっている。また、制御部５０は、記憶部５６に記憶されている情報に基づいて、認証部５４により認証された操作者の識別情報に対応する、ホルダ収容部３２に関連する鍵に関する情報のリストを出力するようになっている。この場合には、操作者は、制御部５０により出力されたリストを参照することにより、必要とする鍵を保持するキーホルダ４０をすぐに見つけることができるようになるため鍵を鍵管理機１０から取り出す際の利便性を向上させることができるようになる。また、本実施の形態では、制御部５０により出力された、ホルダ収容部３２に関連する鍵に関する情報のリストは操作表示部５２に表示されるようになっている。なお、本実施の形態では、制御部５０により出力された、ホルダ収容部３２に関連する鍵に関する情報のリストが操作表示部５２に表示されることに限定されることはない。他の例として、制御部５０により出力されたリストが図示しない上位端末や操作者が携帯する携帯端末（例えば、タブレットＰＣやスマートフォン、携帯電話）等の外部装置に送信されるようになっていてもよい。
【００７８】
また、本実施の形態では、上述したように、操作表示部５２に表示されるリストの中から特定のホルダ収容部３２が操作表示部５２により選択されると、このホルダ収容部３２または当該ホルダ収容部３２に収容されるキーホルダ４０の位置が操作者に報知されるようになっている。具体的には、図１６（ａ）に示すように、操作表示部５２に表示される複数のホルダ収容部３２のうち操作者により選択された特定のホルダ収容部３２の位置がレイアウト表示されるようになる。また、各ホルダ収容部３２に対応して導光体３４が表示部材として設けられており、操作表示部５２に表示されるリストの中から特定のホルダ収容部３２が操作表示部５２により選択されると、この特定のホルダ収容部３２に対応する導光体３４の表示態様が、他のホルダ収容部３２に対応する導光体３４の表示態様から変えられるようになる。なお、更に他の例として、操作表示部５２に表示されるリストの中から特定のホルダ収容部３２が操作表示部５２により選択されると、この特定のホルダ収容部３２に収容されているキーホルダ４０の上面にある導光板４４の表示態様が、他のホルダ収容部３２に収容されているキーホルダ４０の上面にある導光板４４の表示態様から変えられるようになっていてもよい。
【００７９】
また、本実施の形態では、上述したように、操作表示部５２には、制御部５０により出力された情報のリストが、キーホルダ４０の使用頻度（図１７（ａ）参照）、操作者毎のキーホルダ４０の使用頻度（図１７（ｂ）参照）、時間帯毎のキーホルダ４０の使用頻度（図１７（ｃ）参照）、キーホルダ４０の直近の使用のタイミング（図１７（ｅ）参照）のうちいずれかに基づいて順番に並べられた状態で表示されるようになっていてもよい。また、操作表示部５２には、制御部５０により出力された情報のリストが、時間帯毎の個人の（すなわち、操作者毎の）キーホルダ４０の使用頻度（図１７（ｄ）参照）の順や、個人の（すなわち、操作者毎の）キーホルダ４０の直近の使用のタイミングの順に表示されるようになっていてもよい。
【００８０】
また、本実施の形態では、上述したように、各ホルダ収容部３２には、当該ホルダ収容部３２に収容されているキーホルダ４０をホルダ収容部３２から抜き取り不可となるようロックするロック機構３６が設けられており、制御部５０は、認証部５４により認証された操作者の識別情報に対応するホルダ収容部３２に関連する鍵に関する情報のリストを出力すると、認証手段により認証された操作者の識別情報に対応するホルダ収容部３２に設けられたロック機構３６によるキーホルダ４０のロックを解除する。このことにより、操作者は、認証された操作者の識別情報に対応するホルダ収容部３２からキーホルダ４０を抜き取ることができるようになる。また、制御部５０は、操作表示部５２に表示されるリストの中から特定のホルダ収容部３２が操作表示部５２により選択されると、操作表示部５２に表示されるリストに係るホルダ収容部３２のうち選択されたホルダ収容部３２以外のホルダ収容部３２に設けられたロック機構３６によりキーホルダ４０を再びロックさせるようになっている。このことにより、操作者は、操作表示部５２に表示されるリストに係る複数のホルダ収容部３２のうち選択された特定のホルダ収容部３２のみからキーホルダ４０を抜き取ることができるようになり、誤ったキーホルダ４０をホルダ収容部３２から抜き取ってしまうことをより一層防止することができるようになる。
【００８１】
また、本実施の形態による鍵管理機１０によれば、鍵を保持するためのキーホルダ４０（管理部材）が収容されるホルダ収容部３２と、キーホルダ４０を、当該キーホルダ４０から鍵を取り外し不可とするロック状態から鍵を取り外し可能な解除状態とするロック解除部４６とがそれぞれ設けられている。また、キーホルダ４０がロック状態および解除状態のうち何れの状態であるかを検知する状態検知手段としてフォトセンサ３２ｃが設けられている。このような鍵管理機１０によれば、キーホルダ４０をロック解除部４６に挿入した状態でなくてもキーホルダ４０から鍵を取り外すことができるため作業性を向上させることができ、しかも悪意ある第三者によりキーホルダ４０から鍵が取り外されて不正に使用されてしまうことを抑制することができる。
【００８２】
また、上述したように、状態検知手段として機能するフォトセンサ３２ｃはホルダ収容部３２に設けられており、ホルダ収容部３２にキーホルダ４０が収容されたときに当該キーホルダ４０がロック状態および解除状態のうち何れの状態であるかがフォトセンサ３２ｃにより検知されるようになっている。また、ホルダ収容部３２には、当該ホルダ収容部３２に収容されているキーホルダ４０を当該ホルダ収容部３２から抜き取り不可となるようロックするロック機構３６が設けられており、ホルダ収容部３２にキーホルダ４０が収容されたときに当該キーホルダ４０がロック状態であることが状態検知手段としてのフォトセンサ３２ｃにより検知された場合にのみロック機構３６によりキーホルダ４０をホルダ収容部３２の内部にロックすることができるようになっている。この場合には、解除状態のキーホルダ４０が誤ってホルダ収容部３２に収容されたときに、このキーホルダ４０をホルダ収容部３２から抜き取って当該キーホルダ４０を解除状態からロック状態にすることができる。一方、ロック状態のキーホルダ４０がホルダ収容部３２に収容されたときには、このキーホルダ４０はホルダ収容部３２の内部でロックされるようになる。
【００８３】
なお、本実施の形態は、状態検知手段として機能するフォトセンサ３２ｃがホルダ収容部３２に設けられるような態様に限定されることはない。他の態様として、管理部材としてのキーホルダ４０がロック状態および解除状態のうち何れの状態であるかを検知する状態検知手段がロック解除部４６に設けられていてもよい。より詳細には、フォトセンサ３２ｃと同様の構成のフォトセンサがロック解除部４６の収容穴４６ａの奥部に設けられており、このようなフォトセンサによりロック解除部４６の収容穴４６ａに収容されたキーホルダ４０の検知タグ４１が検知されるようになっていてもよい。
【００８４】
また、キーホルダ４０がロック状態および解除状態のうち何れの状態であるかを検知する状態検知手段はフォトセンサ３２ｃに限定されることはない。他の態様として、キーホルダ４０の引出部分４０ｂの底面に突起部材が設けられており、各ホルダ収容部３２にはこの突起部材により動作される検知レバーが設けられるようになっていてもよい。より詳細には、ロック状態となっているキーホルダ４０がホルダ収容部３２に収容されたときにはこのキーホルダ４０の引出部分４０ｂに設けられた突起部材により検知レバーが動作されるが、解除状態となっているキーホルダ４０がホルダ収容部３２に収容されたときにはこのキーホルダ４０の引出部分４０ｂに設けられた突起部材が検知レバーに接触しないようになっている。この場合でも、状態検知手段として機能する検知レバーは、キーホルダ４０がロック状態および解除状態のうち何れの状態であるかを検知することができるようになる。なお、状態検知手段として上述した検知レバーが用いられる場合には、キーホルダ４０がロック状態および解除状態のうち何れの状態であるかを機械的に検知するようになるが、更に他の態様において、状態検知手段として静電反応式センサ、磁気反応式センサ等の更に他の構成のセンサが用いられてもよい。
【００８５】
また、フォトセンサ３２ｃ等の状態検知手段による、キーホルダ４０に係るロック状態および解除状態の検知のオンオフを切り替えることができるようになっていてもよい。キーホルダ４０に係るロック状態および解除状態の検知がオフに設定されている場合には、キーホルダ４０が解除状態でホルダ収容部３２に収容されても、キーホルダ４０が解除状態であることがフォトセンサ３２ｃ等の状態検知手段により検知されないようになる。なお、このようなキーホルダ４０に係るロック状態および解除状態の検知のオンオフの切り替えは例えば操作表示部５２により行うことができるようになっている。
【００８６】
また、本実施の形態では、上述したように、状態検知手段として機能するフォトセンサ３２ｃによる検知結果の履歴が記憶部５６に記憶されるようになっている。また、キーホルダ４０がロック状態から解除状態になったことが状態検知手段としてのフォトセンサ３２ｃにより検知されたときに、記憶部５６に記憶されている履歴が更新されるようになっている。このことにより、鍵管理機１０の制御部５０は、記憶部５６に記憶されている情報に基づいて、各ホルダ収容部３２に収容されているキーホルダ４０がロック状態および解除状態のうち何れの状態であるかを管理することができるようになる。
【００８７】
また、本実施の形態では、上述したように、キーホルダ４０が解除状態であることが状態検知手段として機能するフォトセンサ３２ｃにより検知されると、キーホルダ４０が解除状態である旨の情報が制御部５０により出力されるようになっている。このことにより、キーホルダ４０が解除状態である旨の情報を操作者に報知することができるようになるため、キーホルダ４０が解除状態のままホルダ収容部３２に収容されてしまうことを抑制することができるようになる。ここで、制御部５０により出力された、キーホルダ４０が解除状態である旨の情報は操作表示部５２に表示されるようになっている。なお、制御部５０により出力された当該情報は操作表示部５２に表示されることに限定されることはない。他の例として、制御部５０により出力された、キーホルダ４０が解除状態である旨の情報が図示しない上位端末や操作者が携帯する携帯端末（例えば、タブレットＰＣやスマートフォン、携帯電話）等の外部装置に送信されるようになっていてもよい。また、制御部５０により出力された、キーホルダ４０が解除状態である旨の情報が音声メッセージとして鍵管理機１０から発せられるようになっていてもよい。
【００８８】
また、本実施の形態では、上述したように、キーホルダ４０が解除状態であることが状態検知手段として機能するフォトセンサ３２ｃにより検知されると、キーホルダ４０に保持される鍵の交換が未完了であると判定手段５８により判定されるようになっている。また、あるキーホルダ４０に保持される鍵の交換が未完了であると判定手段５８により判定されているときには、各ホルダ収容部３２に設けられたロック機構３６による他のキーホルダ４０のロックが解除されないようになっている。この場合には、あるキーホルダ４０に保持される鍵の交換が未完了のまま他のホルダ収容部３２から別のキーホルダ４０が抜き取られてこのキーホルダ４０に保持される鍵の交換が行われてしまうことを防止することができる。
【００８９】
また、本実施の形態では、上述したように、管理部材としてのキーホルダ４０にはロック状態と解除状態とで位置が異なる被検知部分として検知タグ４１が設けられている。また、状態検知手段として機能するフォトセンサ３２ｃは、キーホルダ４０の検知タグ４１を検知するようになっている。具体的には、フォトセンサ３２ｃは、検知タグ４１の位置に基づいてキーホルダ４０がロック状態および解除状態のうち何れの状態であるかを検知するようになっている。また、ホルダ収容部３２には、管理部材としてのキーホルダ４０が当該ホルダ収容部３２に収容されていることを検知する収容検知手段としてリーダライタ３２ｂが設けられており、キーホルダ４０には、リーダライタ３２ｂにより検知される第２被検知部分としてＩＣタグ４０ｍが設けられている。この場合には、キーホルダ４０がホルダ収容部３２に収容されたときに、このことを検知することができるようになる。
【００９０】
なお、本実施の形態による鍵管理機は、図１に示すような、認証部として操作表示部５２の隣にＩＣカードリーダ５４ａが設けられるものに限定されることはない。他の種類の鍵管理機として、図２０に示すような、認証部として、操作表示部５２の隣に磁気カードリーダ５４ｂが設けられるような鍵管理機１０ａが用いられてもよい。このような変形例に係る鍵管理機１０ａでは、操作者はＩＣカードの代わりに磁気カードを所持するようになり、磁気カードリーダ５４ｂは、操作者が所持する磁気カードに記録されている情報を読み取ることができるようになっている。このことにより、認証部において、磁気カードに記録されている操作者の識別情報等の様々な情報が磁気カードリーダ５４ｂによって取得され、この取得された操作者の識別情報等に基づいて操作者の権限の確認が行われるようになっている。なお、図２０に示す鍵管理機１０ａでは、前面扉２０の裏側にロック解除部４６が設けられている。
【００９１】
また、本実施の形態では、鍵を保持するための管理部材としてのキーホルダやリングは図６に示すような構成のものに限定されることはない。キーホルダやリングの他の例として、図２１に示すようなものが用いられてもよい。図２１に示すキーホルダ９０にはリング９２が取り付けられるようになっており、このリング９２により１または複数の鍵（図２１において参照符号Ｗで表示）が保持されるようになっている。なお、図２１に示すキーホルダ９０は、図７等に示すキーホルダ４０と異なり、リング９２をキーホルダ９０から取り外すことができないようになっている。また、図２１に示すように、リング９２における端部が互いに重なる箇所には閉止部材９４が設けられており、当該閉止部材９４によりリング９２の両端部が閉止されるようになっている。ここで、閉止部材９４によりリング９２の両端部が閉止されると、このリング９２から鍵を取り外したり当該リング９２に鍵を取り付けたりすることができないようになる。また、図２１に示すキーホルダ９０が用いられる鍵管理機にはロック解除部４６と類似する構成のロック解除部が設けられており、このロック解除部の収容穴に閉止部材９４を差し込むと、この閉止部材９４からリング９２を取り外すことができるようになっている。このようなロック解除部が設けられていることにより、リング９２を閉止部材９４から取り外してこのリング９２から鍵を取り外したり当該リング９２に鍵を取り付けたりすることができるようになる。図２１に示すキーホルダ９０やリング９２、閉止部材９４により鍵を保持させた場合でも、図１乃至図１７に示す本実施の形態の鍵管理機１０と同様の作用効果を奏することができるようになる。
【００９２】
また、本実施の形態による鍵管理機１０では、当該鍵管理機１０を納品する際に納品モードが実行されるようになっている。このような納品モードでは、操作表示部５２において、各ホルダ収容部３２からキーホルダ４０を抜き取るための解除画面と、ロック解除部４６による鍵交換機能を使用可能にする画面とを同時に表示させることができるようになっている。また、このような納品モードでは、全てのホルダ収容部３２のロック機構３６によるキーホルダ４０のロックを一度に解除することができるようになっている。このような納品モードを設けることにより、鍵管理機１０の納品時に各キーホルダ４０への鍵の取り付け作業を容易に行うことができるようになる。
【００９３】
また、本実施の形態による鍵管理機１０において、操作表示部５２が設けられる代わりにモニタ等の表示部および操作キー等の操作部が別々に設けられるようになっていてもよい。この際に、図１４（ａ）に示すようなリストがモニタに表示されたときに、操作者は操作部の上キーや下キーを押下することにより、リストにおける選択されるべき項目を示す目印が上下に移動する。また、この場合には、当該目印に対応するホルダ収容部３２のみが鍵管理機１０のモニタに表示されるレイアウト表示において例えば点滅するようになっていてもよい。
【００９４】
また、本発明による物品管理機や物品管理方法は、上述したような態様に限定されることはなく、様々な変更を加えることができる。
【００９５】
例えば、上記の説明では、本発明による物品管理機として鍵を管理する鍵管理機１０を例に挙げて説明したが、本発明による物品管理機は鍵以外の物品（例えば、カード）を管理するようになっていてもよい。このような物品管理機では、図６等に示すリング４２と同様の構成のリングによりカード等の物品が保持されるようになり、このようなリングは図６等に示すキーホルダ４０と同様の構成のホルダ（管理部材）に着脱自在に取り付けられるようになる。また、カード等の物品を保持するための管理部材は、上述したホルダ収容部３２と同様の構成の収容部に収容されるようになる。このような物品管理機でも、カード等の物品を保持するための管理部材がロック状態および解除状態のうち何れの状態であるかを状態検知手段（例えば、フォトセンサ３２ｃと同様の構成のセンサ）により検知するようになっている。このことにより、管理部材をロック解除部に挿入した状態でなくても管理部材から物品を取り外すことができるため作業性を向上させることができ、しかも悪意ある第三者により管理部材から物品が取り外されて不正に使用されてしまうことを抑制することができる。
【符号の説明】
【００９６】
１０、１０ａ  鍵管理機
１２    筐体
１４    取っ手
２０    前面扉
２２    扉施錠部
３０    ホルダ収容領域
３０ａ  ホルダ収容プレート
３０ｂ  開口
３２    ホルダ収容部
３２ａ  収容穴
３２ｂ  リーダライタ
３２ｃ  フォトセンサ
３２ｄ  ＬＥＤ
３２ｅ  ラッチ
３４    導光体
３６    ロック機構
３８    ソレノイド
３８ａ  レバー部材
３８ｂ  係合部分
３９    バネ
４０    キーホルダ
４０ａ  本体部分
４０ｂ  引出部分
４０ｃ  凹部
４０ｍ  ＩＣタグ
４０ｐ  突起部
４０ｒ  ロック部材
４１    検知タグ
４２、４２ａ、４２ｂ  リング
４４    導光板
４６    ロック解除部
４６ａ  収容穴
４６ｂ  アンテナ
４６ｃ  ロック解除部材
５０    制御部
５２    操作表示部
５４    認証部
５４ａ  ＩＣカードリーダ
５４ｂ  磁気カードリーダ
５６    記憶部
５８    判定手段
６０    追加ユニット
６２    プリンタ
９０    キーホルダ
９２    リング
９４    閉止部材
【図１】
2019027202.tif 000003
【図２】
2019027202.tif 000004
【図３】
2019027202.tif 000005
【図４】
2019027202.tif 000006
【図５】
2019027202.tif 000007
【図６】
2019027202.tif 000008
【図７】
2019027202.tif 000009
【図８】
2019027202.tif 000010
【図９】
2019027202.tif 000011
【図１０】
2019027202.tif 000012
【図１１】
2019027202.tif 000013
【図１２】
2019027202.tif 000014
【図１３】
2019027202.tif 000015
【図１４】
2019027202.tif 000016
【図１５】
2019027202.tif 000017
【図１６】
2019027202.tif 000018
【図１７】
2019027202.tif 000019
【図１８】
2019027202.tif 000020
【図１９】
2019027202.tif 000021
【図２０】
2019027202.tif 000022
【図２１】
2019027202.tif 000023